(57)【要約】【課題】本発明は、被検体の頭皮直下の頭部動脈で血圧値を測定することのできる頭部血圧計を提供することを目的とする。【解決手段】本発明に係る頭部血圧計は、頭皮直下の頭部動脈のある頭部表面にカフを固定する固定具を有し、頭蓋骨と頭皮表面の間に位置する頭皮直下の頭部動脈で血圧値を測定する。具体的には、本発明に係る頭部血圧計は、被検体の頭皮直下の頭部動脈を圧迫するカフと、前記頭部動脈のある頭部表面に前記カフを固定する固定具と、前記カフで圧迫している前記頭部動脈で脈波を検出する脈波検出器と、を備える。【選択図】図１
2006280769.tif 000002
【特許請求の範囲】
【請求項１】
被検体の頭皮直下の頭部動脈を圧迫するカフと、
前記頭部動脈のある頭部表面に前記カフを固定する固定具と、
前記カフで圧迫している前記頭部動脈で脈波を検出する脈波検出器と、を備える頭部血圧計。
【請求項２】
前記固定具は、少なくとも前記被検体の頭頂部及び側頭部を覆う袋体であって、
前記カフは、前記袋体の内壁面に配置されていることを特徴とする請求項１に記載の頭部血圧計。
【請求項３】
前記固定具は、前記被検体の側頭部に巻き付けられる環状体であって、
前記カフは、前記環状体の内周面に配置されていることを特徴とする請求項１に記載の頭部血圧計。
【請求項４】
前記環状体の内周の長さが可変であることを特徴とする請求項３に記載の頭部血圧計。
【請求項５】
前記固定具は、前記被検体の側頭部を挟むＣ字型の湾曲体であって、
前記カフは、前記湾曲体の端部又は湾曲内面に配置されていることを特徴とする請求項１に記載の頭部血圧計。
【請求項６】
前記湾曲体の弧の長さが可変であることを特徴とする請求項５に記載の頭部血圧計。
【請求項７】
前記カフは、空気圧の増加によって前記頭部動脈を圧迫することを特徴とする請求項１から６に記載のいずれかの頭部血圧計。
【請求項８】
前記カフへの給気又は前記カフからの排気を行なう空気ポンプをさらに備えることを特徴とする請求項７に記載の頭部血圧計。
【請求項９】
前記空気ポンプは、前記固定具と分離されており、前記カフとパイプで接続されていることを特徴とする請求項８に記載の頭部血圧計。
【請求項１０】
前記カフ内の空気圧を検出する圧力計をさらに備えることを特徴とする請求項１から９に記載のいずれかの頭部血圧計。
【請求項１１】
前記圧力計は、前記固定具と分離されており、前記カフとパイプで接続されていることを特徴とする請求項１０に記載の頭部血圧計。
【発明の詳細な説明】
【技術分野】
【０００１】
本発明は、頭部で血圧値を測定する頭部血圧計に関する。
【背景技術】
【０００２】
高齢化が進み、成人の生活習慣病への対応が社会的に大きな課題となっている。特に高血圧値に関連する疾患の場合、長期の血圧値の収集が非常に重要である点が認識されている。このような観点から、血圧値を始めとして、脈拍、脈波、心電、体温又は動脈血酸素飽和度等の生体情報を継続的に測定する測定装置が開発されている。
【０００３】
生体情報を継続的に測定する測定装置として、外耳道に常時装着する患者モニタ装置がある（例えば、特許文献１参照。）。この装置は、被検体内へ放射した赤外光、可視光の散乱光の受光量から血圧値などを算出するものである。しかし、患者モニタ装置では、血圧計の具体的な構成は示されていない。
【０００４】
ここで、耳介の名称は非特許文献１、２、３による。
【特許文献１】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【非特許文献３】からだの地図帳  （監修・解説：高橋長雄）、ｐ．２０、（株）講談社、２００４年１月２９日発行
【発明の開示】
【発明が解決しようとする課題】
【０００５】
外耳道を含む外耳は、常時装着していても指先や腕と比較して被検体への負担が少ない。しかし、外耳で血圧値を継続的に測定する場合、以下のような問題が生じると考えられる。外耳道に装着した場合は、聴覚が妨げられる上に外れやすい。また、外耳に挟んで常時装着した場合は、外れやすく、固定するための与圧が被検体にかかるので測定する血圧値に誤差が生じる。また、耳介に掛けて常時装着した場合は、外れやすく、被検体の体動で血圧値の測定部位がずれやすい。
【０００６】
一方、頭皮直下の頭部動脈は、頭蓋骨と頭皮表面の間に位置し、表皮までの距離が上腕等に比較して非常に短い。特に、頭皮直下の頭部動脈のうち、浅側頭動脈及び浅側頭動脈から分岐する動脈は太く、血圧値の測定に適している。
【０００７】
そこで、本発明は、被検体の頭皮直下の頭部動脈で血圧値を測定することのできる頭部血圧計を提供することを目的とする。
【課題を解決するための手段】
【０００８】
本発明に係る頭部血圧計は、頭皮直下の頭部動脈のある頭部表面にカフを固定する固定具を有し、頭蓋骨と頭皮表面の間に位置する頭皮直下の頭部動脈で血圧値を測定することを特徴とする。
【０００９】
カフを被検体の頭部表面に固定することができるので、頭皮直下の頭部動脈で血圧値を測定することができる。被検体の頭皮直下の頭部動脈で血圧値が測定できるので、効率的に正確な血圧値を測定することができる。さらに、頭部は、血圧計を常時装着しても支障が少なく、かつ、血圧計の着脱が自在である。したがって、常時装着していても被検体への負担が少なく、かつ、正確な血圧値の測定が継続的に可能な頭部血圧計を提供することができる。
【００１０】
具体的には、本発明に係る頭部血圧計は、被検体の頭皮直下の頭部動脈を圧迫するカフと、前記頭部動脈のある頭部表面に前記カフを固定する固定具と、前記カフで圧迫している前記頭部動脈で脈波を検出する脈波検出器と、を備える。
【００１１】
カフを頭部に固定し、被検体の頭皮直下の頭部動脈で血圧値を測定することができる。これにより、常時装着していても被検体への負担が少なく、かつ、正確な血圧値の測定が継続的に可能な頭部血圧計を提供することができる。
【００１２】
前記固定具は、少なくとも前記被検体の頭頂部及び側頭部を覆う袋体であって、前記カフは、前記袋体の内壁面に配置されていることが好ましい。
【００１３】
固定具が、頭頂部及び側頭部を覆う袋体であることによって、頭部と接する表面積を広くすることができるで、頭部の一部を圧迫することなく頭部動脈のある頭部表面にカフを固定することができる。
【００１４】
前記固定具は、前記被検体の側頭部に巻き付けられる環状体であって、前記カフは、前記環状体の内周面に配置されていることが好ましい。
【００１５】
固定具が、側頭部に巻き付けられる環状体であることによって、容易に頭部動脈のある頭部表面にカフを固定することができる。
【００１６】
前記環状体の内周の長さが可変であることが好ましい。
【００１７】
環状体の内周の長さが可変であることによって、被検体の頭部の形状に合わせることができるので、カフを最適な位置に固定することができる。
【００１８】
前記固定具は、前記被検体の側頭部を挟むＣ字型の湾曲体であって、前記カフは、前記湾曲体の端部又は湾曲内面に配置されていることが好ましい。
【００１９】
固定具が、側頭部を挟むＣ字型の湾曲体であることによって、頭部動脈のある頭部表面に容易にカフを固定することができる。
【００２０】
前記湾曲体の弧の長さが可変であることが好ましい。
【００２１】
湾曲体の弧の長さが可変であることによって、被検体の頭部の形状に合わせることができるので、カフを最適な位置に固定することができる。
【００２２】
前記カフは、空気圧の増加によって前記頭部動脈を圧迫することが好ましい。
【００２３】
空気圧の増加によって前記頭部動脈を圧迫することにより、カフを軽くすることができる。さらに、カフ内の空気圧から頭部動脈を圧迫する圧力を検出することができるので、カフが被検体の頭皮直下の頭部動脈を圧迫する圧力を正確に検出することができる。
【００２４】
前記カフへの給気又は前記カフからの排気を行なう空気ポンプをさらに備えることが好ましい。
【００２５】
空気ポンプをさらに備えることによって、空気ポンプでカフ内の空気圧を増加させることができるので、被検体の頭皮直下の頭部動脈を効率的に圧迫することができる。
【００２６】
前記空気ポンプは、前記固定具と分離されており、前記カフとパイプで接続されていることが好ましい。
【００２７】
空気ポンプが固定具と分離されていることによって、頭部に装着する部品を減らすことができるので、被検者への負担を軽減することができる。
【００２８】
前記カフ内の空気圧を検出する圧力計をさらに備えることが好ましい。
【００２９】
カフ内の空気圧を検出することにより、カフが頭皮直下の頭部動脈を圧迫する圧力を正確に検出することができる。
【００３０】
前記圧力計は、前記固定具と分離されており、前記カフとパイプで接続されていることが好ましい。
【００３１】
圧力計が固定具と分離されていることによって、頭部に装着する部品を減らすことができるので、被検者への負担を軽減することができる。
【発明の効果】
【００３２】
本発明によれば、被検体の頭皮直下の頭部動脈を圧迫するカフと、前記頭部動脈のある頭部表面に前記カフを固定する固定具と、前記カフで圧迫している前記頭部動脈で脈波を検出する脈波検出器と、を備えるので、被検体の頭皮直下の頭部動脈で血圧値を測定する頭部血圧計を提供することができる。
【発明を実施するための最良の形態】
【００３３】
添付の図面を参照して本発明の実施の形態を説明する。以下に説明する実施の形態は本発明の構成の例であり、本発明は、以下の実施の形態に制限されるものではない。
【００３４】
（実施形態１）
図１は、実施形態１に係る頭部血圧計の模式図である。本実施形態に係る頭部血圧計９１は、被検体の頭皮直下の頭部動脈を圧迫するカフ１１と、頭部動脈のある頭部表面にカフ１１を固定する固定具１２と、カフ１１で圧迫している頭部動脈で脈波を検出する脈波検出器１３と、を備える。頭部血圧計９１は、さらに、カフへの給気又はカフ１１からの排気を行なう空気ポンプ１４と、カフ内の空気圧を検出する圧力計１５と、空気ポンプ１４の給排気口１６とを含む。
【００３５】
カフ１１は、固定具１２を被検体の頭部に装着した際に、被検体の頭部表面と固定具１２の間の位置に配置されることが好ましい。このような配置にすることにより、カフ１１は、固定具１２を支持体として頭部動脈を圧迫することができるので、効率よく頭部動脈を圧迫することができる。さらに、カフ１１は、被検体の浅側頭動脈及び浅側頭動脈から分岐する動脈を圧迫できる位置に配置されていることが好ましい。頭皮直下の頭部動脈のうち、浅側頭動脈及び浅側頭動脈から分岐する動脈は太いので、さらに効率的に正確な血圧値を測定することができる。
【００３６】
なお、空気ポンプ１４及び圧力計１５は、カフ１１内に配置されているが、これに限定されない。空気ポンプ１４又は圧力計１５のいずれかが、カフ１１の表面に配置されていてもよいし、固定具１２に配置されていてもよいし、固定具１２と分離されていてもよい。
【００３７】
固定具１２は、被検体の頭部動脈のある頭部表面にカフ１１を固定するものである。例えば、帽子、ヘルメット、ヘッドホン等の頭部に固定できる形状のもの、バンダナ、リボン等の頭部に巻きつけることのできるものである。固定具１２は、頭部の形状に沿うように変形するものが好ましい。例えば、柔軟性のある素材からなるものである。また、長さや大きさを可変することのできるものである。さらに、カフ１１の圧力によって変形し難いものが好ましい。例えば、弾性を有するプラスチックからなるものである。固定具１２がカフ１１の圧力によって変形し難いことによって、固定具１２を支持体としてカフ１１が頭部動脈を圧迫する際に、頭部動脈を圧迫する効率をさらに向上することができる。固定具１２の形態例として、第１固定具、第２固定具、第３固定具を以下に説明する。
【００３８】
図２は、第１固定具の形態の一例を示す外観図である。図２では、第１固定具を被検体１０１の頭部に装着したときの様子を示す。第１固定具２１は、少なくとも被検体１０１の頭頂部及び側頭部を覆う袋体であって、カフ１１が袋体の内壁面に配置されているものである。第１固定具２１は、例えば、帽子、ヘルメットである。カフ１１は、袋体の内壁面に配置されている。袋体の内壁面に配置されていることで、第１固定具２１を支持体として頭部動脈を圧迫することができるので、頭部動脈を効率的に圧迫することができる。このように、固定具を被検体１０１の頭頂部及び側頭部を覆う袋体とすることができる。固定具が、被検体１０１の頭頂部及び側頭部を覆う袋体であることによって、頭部と接する表面積を広くすることができるで、頭部血圧計は、頭部の一部を圧迫することなく頭部動脈のある頭部表面にカフ１１を固定することができる。
【００３９】
図３は、第２固定具の形態の一例を示す外観図である。図３では、第２固定具を被検体１０１の頭部に装着したときの様子を示す。第２固定具２２は、被検体１０１の側頭部に巻き付けられる環状体であって、カフ１１が環状体の内周面に配置されているものである。環状体は、例えば、ターバン、鉢巻、リボン、サンバイザーである。環状体は、ゴムなどの伸縮性のある素材で成るものが好ましい。また、環状体は、接続されることによって環状をなす接続部３１を有するものを含む。したがって、ひも状のものを含む。接続部３１は、結ぶことで接続するものでもよいし、面ファスナ又はボタン等の接続機構で接続するものでもよい。カフ１１は、環状体の内周面に配置されている。環状体の内周面に配置されていることで、第２固定具２２を支持体として頭部動脈を圧迫することができるので、頭部動脈を効率的に圧迫することができる。このように、固定具を被検体１０１の側頭部に巻き付けられる環状体とすることができる。固定具が、被検体１０１の側頭部に巻き付けられる環状体であることによって、容易に頭部動脈のある頭部表面にカフを固定することができる。
【００４０】
さらに、第２固定具２２は、環状体の内周の長さが可変であることが好ましい。例えば、接続部３１が、接続位置が可変な接続機構を有するものである。接続機構は、例えば、面ファスナ又はボタンである。また、伸縮性を有することによって環状体の内周の長さが可変であるものでもよい。例えば、伸縮性のある繊維構造を有する布、ゴムを含むものである。このように、環状体の内周の長さが可変であることによって、被検体の頭部の形状に合わせることができるので、カフを最適な位置に固定することができる。
【００４１】
図４は、第３固定具の形態の一例を示す外観図である。図４では、第３固定具を被検体１０１の頭部に装着したときの様子を示す。第３固定具２３は、被検体１０１の側頭部を挟むＣ字型の湾曲体であって、カフ１１は、湾曲体の端部又は湾曲内面に配置されている。湾曲体の形状は、被検体１０１の側頭部を挟む湾曲体であればＣ字型に限るものではなく、例えば、Ｕ字型、コの字型、Ω字型であってもよい。湾曲体は、第３固定具２３を頭部に装着した際に、端部が被検体１０１の側頭部に配置される形状に限定しない。例えば、湾曲体の端部が被検体１０１の側頭部よりも顎側にあってもよい。カフ１１は、湾曲体の端部又は湾曲内面に配置されている。湾曲体の端部又は湾曲内面に配置されていることで、第３固定具２３を支持体として頭部動脈を圧迫することができるので、頭部動脈を効率的に圧迫することができる。このように、固定具を被検体の側頭部を挟むＣ字型の湾曲体とすることができる。固定具が、被検体の側頭部を挟むＣ字型の湾曲体であることによって、頭部動脈のある頭部表面に容易にカフを固定することができる。
【００４２】
図５は、第３固定具の形態の他の一例を示す外観図である。図５に示す第３固定具２４は、湾曲体の弧の長さが可変であるものの一例を示す。第３固定具２４は、湾曲体３３の弧の長さが可変な接続部３２を有する。湾曲体３３は、湾曲体３３ａ、湾曲体３３ｂで構成されており、接続部３２で湾曲体３３ａ及び湾曲体３３ｂが重ねられて一組の湾曲体３３を形成している。接続部３２で湾曲体３３ａ及び湾曲体３３ｂの重なる長さを調節することによって、湾曲体３３の弧の長を可変にすることができる。このように、第３固定具において、湾曲体３３の弧の長さは、可変であることが好ましく、湾曲体の弧の長さが可変であることによって、被検体の頭部の形状に合わせることができるので、カフを最適な位置に固定することができる。
【００４３】
図１に示す脈波検出器１３は、カフ１１が圧迫する被検体の頭皮直下の頭部動脈での脈波を検出するものである。脈波から脈動波形を観測できるものでもよい。例えば、頭部動脈での光の吸収／散乱、コロトコフ音、圧脈（心臓の拍動に同調した血管壁の振動）を検出するものである。
【００４４】
脈波検出器１３は、発光素子から出射された光による被検体の頭部動脈での散乱光を受光して脈波を検出する受光素子を有するものが好ましい。発光素子は、例えば、ヘモグロビンで吸収される波長や、血管壁で散乱される波長を発光するものである。受光素子は、散乱光を受光するものである。発光素子、受光素子とも複数有してもよく、ドップラーレーダーであってもよい。被検体の頭部動脈での散乱光を受光して脈波を検出することにより、被検体の振動の影響の少ない脈波検出ができる。さらに末梢血管での脈波検出にも適している。
【００４５】
カフ１１は、被検体の頭皮直下の頭部動脈を圧迫するものである。頭部動脈を圧迫する押圧圧力を増減するものを含んでいてもよい。例えば、カフ１１は、空気圧、水圧等の流動体の容積の変化によって圧迫するものである。また、アクチュエータ等の固体の変形又は移動で圧迫するものでもよい。カフ１１は、空気圧の増加によって被検体の頭皮直下の頭部動脈を圧迫するものが好ましい。例えば、カフ１１は、空気ポンプ１４を用い、給排気口１６から供給された空気をカフ１１への給気し、カフ１１内の空気を給排気口１６へ排気するものである。カフ１１が空気圧の増加によって被検体の頭皮直下の頭部動脈を圧迫することによって、カフ１１を軽量化できるので、被検体への負担を軽減することができる。さらに、カフ内の空気圧から頭部動脈を圧迫する圧力を検出することができるので、カフが被検体の頭皮直下の頭部動脈を圧迫する圧力を正確に検出することができる。
【００４６】
図１に示す空気ポンプ１４は、カフ１１への給気又はカフ１１からの排気を行なうものである。空気ポンプ１４は、手動であってもよいが、自動であることが好ましい。継続的に血圧値を測定する際に、被検体への負担を軽減することができる。空気ポンプ１４の空気の供給元は限定しない。例えば、空気ポンプ１４は、外気を取り込んでカフ１１へ給気するものでもよい。空気ポンプ１４が固定部１２に配置されるときは、給気又排気の音が静かなものが好ましい。本実施形態では、効率よく頭部動脈を圧迫することができるので、上腕部での測定などに比べて給気又排気に要する仕事量を減らすことができ、空気ポンプ１４を小型化できる。このように、空気ポンプ１４をさらに備えることによって、空気ポンプ１４でカフ１１内の空気圧を増加させることができるので、被検体の頭皮直下の頭部動脈を効率的に圧迫することができる。
【００４７】
図１に示す給排気口１６は、空気ポンプ１４の給排気口である。
【００４８】
図１に示す圧力計１５は、カフ１１が被検体の頭皮直下の頭部動脈を圧迫する押圧圧力を検出するものである。例えば、カフ１１内の空気圧を測定する気圧計、カフ１１の表面に加わる圧力を測定する圧電素子である。圧力計１５は、カフ１１内の空気圧を検出するものが好ましい。カフ１１が頭部動脈を圧迫しているときに、カフ１１内の空気圧は頭部動脈を圧迫する押圧圧力と等しい。カフ１１内の空気圧を検出することにより、カフ１１のどの部分で頭部動脈を圧迫するか不確定な場合にも頭部動脈を圧迫する圧力を正確に検出することができる。
【００４９】
図１に示す頭部血圧計９１の動作の一例について説明する。カフ１１は、頭部動脈のある頭部表面を押圧する押圧圧力を変化させながら、頭部動脈を圧迫する。カフ１１が頭部動脈を圧迫する間、圧力計１５は、カフ１１の押圧圧力を検出する。また、カフ１１が頭部動脈を圧迫する間、脈波検出器１３は、カフ１１の圧迫している頭部動脈の脈動波形を検出する。
【００５０】
頭部血圧計９１の動作の一例について、図６を用いてさらに詳しく説明する。図６は、血圧値の測定例を示すグラフであり、（ａ）は圧力の時間推移、（ｂ）は脈動波形振幅の時間推移を示す。図６（ａ）では、心臓の鼓動による被検体の頭部動脈の周期的な動脈内圧６１と、カフが頭部動脈を圧迫する押圧圧力６２と、が示されている。図６（ｂ）は、脈波検出器の検出した脈動波形６３が示されている。
【００５１】
カフは、頭部動脈の血流が停止する程の圧力Ｐ０が圧力計で検出されるまで押圧圧力６２を増加させる。圧力計が圧力Ｐ０を検出したときを時間Ｔ０とした。時間Ｔ０では、図６（ｂ）に示すように、脈波検出器は脈動波形６３をほとんど検出しない。ここで、圧力Ｐ０は、予め設定された圧力を用いてもよいし、脈波検出器で脈波が検出されなくなった圧力としてもよい。
【００５２】
カフは、時間Ｔ０を境にして、頭部動脈を圧迫する押圧圧力６２を徐々に減少させる。脈波検出器は、時間Ｔ１で図６（ｂ）に示すようなわずかな脈動波形６３を検出する。このとき、圧力計が検出する押圧圧力６２は、心臓の鼓動により脈動する動脈内圧６１の最高値と等しくなっている。この時間Ｔ１での押圧圧力６２が収縮期血圧値Ｐ１となる。
【００５３】
脈波検出器で検出される脈動波形６３の振幅は、時間Ｔ１から徐々に大きくなり、時間Ｔ２で最大となる。この時間Ｔ２での押圧圧力６２が、動脈内圧６１の拡張期血圧値Ｐ２となる。このようにして、血圧値となる収縮期血圧値Ｐ１及び拡張期血圧値Ｐ２を決定することができる。なお、血圧値を測定する方法は上記に限定されるものではなく、例えば、徐々に押圧圧力６２を増加させるものでもよい。
【００５４】
以上説明したように、本実施形態の頭部血圧計は、固定具で頭皮直下の頭部動脈のある頭部表面にカフを固定し、頭蓋骨と頭皮表面の間に位置する頭皮直下の頭部動脈で血圧値を測定することができる。
【００５５】
頭皮直下の頭部動脈は、頭蓋骨と頭皮表面の間に位置し、表皮までの距離が上腕等に比較して非常に短い。本実施形態の頭部血圧計は、固定具がカフを頭皮表面に固定するので、カフと頭蓋骨で頭部動脈を挟み、効率よく頭部動脈を圧迫することができる。また、頭皮直下の頭部動脈は、表皮までの距離が上腕等に比較して非常に短いので、脈波を効率よくかつ高精度に検出することができ、さらに図６で説明した圧力Ｐ０の値を小さくできる。これらにより、本実施形態の頭部血圧計は、効率的に正確な血圧値を測定することができるので、被検体への負担が少なくかつ正確な血圧値を継続的に測定することができる。特に、頭皮直下の頭部動脈のうち、浅側頭動脈及び浅側頭動脈から分岐する動脈は太いので、これらの頭部動脈で血圧値を測定すればさらに効率的で正確な血圧値の測定が可能になる。さらに、頭部は、血圧計を常時装着しても支障が少なく、かつ、血圧計の着脱が自在である。したがって、本実施形態の頭部血圧計は、常時装着していても被検体への負担が少なく、かつ、正確な血圧値の測定が継続的に可能である。
【００５６】
（実施形態２）
図７は、実施形態２に係る頭部血圧計の一例を示した模式図である。本実施形態に係る頭部血圧計９２は、空気ポンプ及び圧力計の配置が前述の図１で説明した頭部血圧計９１と異なる。頭部血圧計９２に備わる空気ポンプ１８は、固定具１２と分離されており、カフ１１とパイプ１７で接続されている。また、頭部血圧計９２に備わる圧力計１９は、固定具１２と分離されており、カフ１１とパイプ１７で接続されている。
【００５７】
カフ１１、固定具１２は、前述の実施形態１で説明したものと同様のものを用いることができる。
【００５８】
空気ポンプ１８は、パイプ１７内へ空気を供給するものである。その他は、前述の実施形態１で説明したものと同様である。
【００５９】
圧力計１９は、パイプ１７内の空気圧を検出するものである。その他は、前述の実施形態１で説明したものと同様である。
【００６０】
パイプ１７は、パイプ内の気圧をカフ１１内の気圧と等しく保つ中空管である。例えば、樹脂又はゴムからなるチューブである。
【００６１】
本実施形態の頭部血圧計の動作の一例について説明する。空気ポンプ１８は、外気を取り込んでパイプ１７内へ空気を供給する。このとき、カフ１１は、パイプ１７内の空気の増加によって膨張し、カフ１１内の空気圧が増加する。空気圧の増加により、カフ１１は被検体の頭皮直下の頭部動脈を圧迫する。カフ１１が頭部動脈を圧迫する間、圧力計１９は、パイプ１７内の空気圧を検出する。パイプ１７内の空気圧を検出することにより、圧力計１９はカフ１１内の空気圧を検出することができる。カフ１１が頭部動脈を圧迫する間、脈波検出器１３は、カフ１１の圧迫している頭部動脈の脈動波形を検出する。動作の詳細については、前述の実施形態１と同様である。
【００６２】
以上説明したように、本実施形態の頭部血圧計は、固定具で頭部に固定されたカフで頭部動脈を圧迫し、固定具と分離して配置されている空気ポンプ及び圧力計を用いて血圧値を測定することができる。空気ポンプ又は圧力計が固定具と分離されていることによって、頭部に装着する部品を減らすことができるので、頭部への加重を減らすことができる。これにより、被検者への負担を軽減することができる。
【産業上の利用可能性】
【００６３】
本発明によれば、頭皮直下の頭部動脈のある頭部表面にカフを固定する固定具を有するので、例えば脳梗塞の危険性の高い患者等、特に頭部の血管や血液の状態を監視する用途に応用できる。
【図面の簡単な説明】
【００６４】
【図１】実施形態１に係る頭部血圧計の模式図である。
【図２】第１固定具の形態の一例を示す外観図である。
【図３】第２固定具の形態の一例を示す外観図である。
【図４】第３固定具の形態の一例を示す外観図である。
【図５】第３固定具の形態の他の一例を示す外観図である。
【図６】血圧値の測定例を示すグラフであり、（ａ）は圧力の時間推移、（ｂ）は脈動波形振幅の時間推移を示す。
【図７】実施形態２に係る頭部血圧計の一例を示した模式図である。
【符号の説明】
【００６５】
１１  カフ
１２、２１、２２、２３、２４  固定具
１３  脈波検出器
１４、１８  空気ポンプ
１５、１９  圧力計
１６  給排気口
１７  パイプ
３１、３２  接続部
３３  湾曲体
６１  動脈内圧
６２  押圧圧力
６３  脈動波形 
９１、９２  頭部血圧計
【図１】
2006280769.tif 000003
【図２】
2006280769.tif 000004
【図３】
2006280769.tif 000005
【図４】
2006280769.tif 000006
【図５】
2006280769.tif 000007
【図６】
2006280769.tif 000008
【図７】
2006280769.tif 000009